(57)【要約】【課題】カバーやファンケースの損傷や変形を防止することができる送風機および農業用薬剤散布車を提供する。【解決手段】内部に送風ファン１３を収容しかつ空気吸込み側および空気吐出し側がそれぞれベルマウス状に形成された筒状のファンケース１１と、このファンケース１１の外周部を覆う概略アーチ状のカバー１２とを備えている送風機８であって、カバー１２は、空気吸込み側および空気吐出し側にそれぞれ、内側に折り曲げられた吸込み側折曲部４１および吐出し側折曲部５１が設けられ、吸込み側折曲部４１の端面とファンケース１１の吸込み側端面とが突き合わされて、ステーにより連結されているとともに、吐出し側折曲部５１の端部とファンケース１１の吐出し側端部とが重ね合わされて、ボルト５２およびナット５３により連結されている。【選択図】      図３
2004278408.tif 000002
【特許請求の範囲】
【請求項１】
内部に送風ファン（１３）を収容しかつ空気吸込み側および空気吐出し側がそれぞれベルマウス状に形成された筒状のファンケース（１１）と、このファンケース（１１）の外周部を覆う概略アーチ状のカバー（１２）とを備えている送風機（８）であって、
前記カバー（１２）は、空気吸込み側および空気吐出し側にそれぞれ、内側に折り曲げられた吸込み側折曲部（４１）および吐出し側折曲部（５１）が設けられ、前記吸込み側折曲部（４１）の端面と前記ファンケース（１１）の吸込み側端面とが突き合わされて、連結部材（４３）により連結されているとともに、前記吐出し側折曲部（５１）の端部と前記ファンケース（１１）の吐出し側端部とが重ね合わされて、固定具（５２、５３）により連結されていることを特徴とする送風機（８）。
【請求項２】
前記カバー（１２）の前記吸込み側折曲部（４１）は、前記ファンケース（１１）の空気吸込み口よりも該ファンケース（１１）の軸線方向外側でかつ該ファンケース（１１）よりも該ファンケース（１１）の半径方向外側に設けられているとともに、空気吸込み側から空気吐出し側に向かうにつれて漸次該ファンケース（１１）の半径方向内側に向かうように形成された傾斜部を備えていることを特徴とする請求項１に記載の送風機（８）。
【請求項３】
前記カバー（１２）は、左右に分割可能な左カバー（３１）と右カバー（３２）とからなり、これらの左カバー（３１）と右カバー（３２）の端面同士が突き合わされて、各端面に形成されたフランジ部（３３、３４）同士が固定具（３５、３６）により固定されることにより、前記左カバー（３１）と右カバー（３２）とが連結されて構成されることを特徴とする請求項１または請求項２に記載の送風機（８）。
【請求項４】
請求項１乃至請求項３のいずれかに記載の送風機（８）が搭載されていることを特徴とする農業用薬剤散布車。
【発明の詳細な説明】
【０００１】
【発明の属する技術分野】
本発明は、送風機およびこの送風機を備えた農業用薬剤散布車に関する。
【０００２】
【従来の技術】
スピードスプレーヤの送風機として、従来、内部に送風ファンを収容しかつ空気吸込み側および空気吐出し側がそれぞれベルマウス状に形成された筒状のファンケース（筒部材）と、このファンケースの外周部を覆う概略アーチ状のカバー（カバー部材）とを備え、カバーは、送風ファンの吸込み側端部および吐出し側端部にそれぞれ、カバーの軸線方向に対して直角な吸込み側折曲部（吸入側内向き延出部）および吐出し側折曲部（吐出側内向き延出部）を一体に備え、そしてカバーの吸込み側折曲部の端部とファンケースの吸込み側端部とが重ね合わされて、固定具により連結されているとともに、カバーの吐出し側折曲部の端部とファンケースの吐出し側端部とが重ね合わされて、固定具により連結されているものが知られている（例えば、特許文献１参照）。
【０００３】
また、従来、送風機の風胴の後端部に開口した吸込み口の周縁から後端側へ延出して、少なくとも吸込み口の上側部を覆う適当長さの（吸込み口をアーチ状に覆う）網で構成されたカバーを設けて、送風機の吸込み口の保護網に木の葉等が付着するのを防止しようとするスピードスプレーヤの送風機が知られている（例えば、特許文献２参照）。
【０００４】
【特許文献１】
特開平１１−９３８９９号公報
【特許文献２】
実用新案登録第２５４９１４９号公報
【０００５】
【発明が解決しようとする課題】
しかしながら、前者のスピードスプレーヤの送風機にあっては、カバーの吸込み側折曲部の端部とファンケースの吸込み側端部、およびカバーの吐出し側折曲部の端部とファンケースの吐出し側端部とがともに、重ね合わされて固定具により連結されているので、カバーまたはファンケースの製作寸法の出来具合により、カバーとファンケースとの間に締め代が生じたり、あるいは隙間が生じ、締め付けによってカバーまたはファンケースに無理な力がかかり、これらが損傷したりあるいは変形したりする虞がある。
【０００６】
また、このように、吸込み側連結部および吐出し側連結部によりカバーとファンケースとが嵌め殺し状態の結合となるので、カバーおよびファンケースの寸法管理を厳しくする必要があるため、カバーおよびファンケースの製作コストが高くなるとともに、組み立て作業に神経を使うという問題がある。
【０００７】
さらに、カバーが、送風ファンの吸込み側端部および吐出し側端部にそれぞれ、内側に直角に折曲された吸込み側折曲部および吐出し側折曲部を備えた構成であるので、組み立て時に、作業者はカバーの吸込み側折曲部および吐出し側折曲部の外側の平坦な面を手で支えて、カバーをファンケースに組み込まなければならないため、持ち難いという問題がある。他方、カバーの吸込み側折曲部や吐出し側折曲部の端面に手を引っ掛けて作業を行うと、カバーの肉厚部分で手が痛いし、怪我をし易い。
【０００８】
一方、後者のスピードスプレーヤの送風機にあっては、吸込み口の周縁から外方へ延出して吸込み口を覆う網で構成されたカバーを設けたので、送風ファンにより吸い込まれた異物が網目に挟まって、このカバーが損傷する虞がある。また、スピードスプレーヤの走行中に、果樹などの樹木の枝などが網目に挟まり、樹木を損傷する虞はある。さらに、カバーが後端側へ水平に延出している網のカバーであって、カバーが半径方向外方に広がりを持っていないので、網目が異物で塞がった場合には、空気流入方向がファンケースの吸込み口の後方側に限定されてしまうという問題がある。
【０００９】
本発明は、上記事情に鑑みて為されたもので、カバーやファンケースの損傷や変形を防止することができる送風機および農業用薬剤散布車を提供することを目的とする。
また、本発明は、カバーやファンケースの製作コストを低減することができるとともに、組み立て作業に神経を使う必要がない送風機および農業用薬剤散布車を提供することを目的とする。
また、本発明は、組み立てあるいは分解時に、作業者がカバーを持ち易くすることができるとともに、手の損傷を防止することができる送風機および農業用薬剤散布車を提供することを目的とする。
また、本発明は、異物がファンケース内に吸い込まれるのを防止することができるとともに、異物によって空気流入が阻害されるのを防止することができる送風機および農業用薬剤散布車を提供することを目的とする。
【００１０】
【課題を解決するための手段】
上記目的を達成するために、請求項１に記載の送風機（８）は、内部に送風ファン（１３）を収容しかつ空気吸込み側および空気吐出し側がそれぞれベルマウス状に形成された筒状のファンケース（１１）と、このファンケース（１１）の外周部を覆う概略アーチ状のカバー（１２）とを備えている送風機（８）であって、前記カバー（１２）は、空気吸込み側および空気吐出し側にそれぞれ、内側に折り曲げられた吸込み側折曲部（４１）および吐出し側折曲部（５１）が設けられ、前記吸込み側折曲部（４１）の端面と前記ファンケース（１１）の吸込み側端面とが突き合わされて、連結部材（４３）により連結されているとともに、前記吐出し側折曲部（５１）の端部と前記ファンケース（１１）の吐出し側端部とが重ね合わされて、固定具（５２、５３）により連結されていることを特徴とする。
【００１１】
請求項１に記載の発明においては、カバーの吸込み側折曲部の端面とファンケースの吸込み側端面とが突き合わされて、連結部材により連結されている一方、カバーの吐出し側折曲部の端部とファンケースの吐出し側端部とが重ね合わされて、固定具により連結されているので、カバーとファンケースとを組み立てる際に、まずカバーの吐出し側折曲部の端部とファンケースの吐出し側端部とを連結し、その後カバーの吸込み側折曲部の端面とファンケースの吸込み側端面とを突き合わせて、連結部材により連結することにより、これらのカバーの吸込み側折曲部の端面とファンケースの吸込み側端面との間に逃げを確保することができるので、カバーまたはファンケースの製作寸法の出来具合が異なっても対応することができる。したがって、カバーまたはファンケースに無理な力がかからないので、これらが損傷したりあるいは変形したりすることがない。
【００１２】
また、このようにカバーおよびファンケースの製作寸法の出来具合に左右されずに、これらを組み立てることができるので、カバーおよびファンケースの寸法管理を緩和することができるため、カバーおよびファンケースの製作コストを低減することができ、また組み立て作業に神経を使う必要がない。
さらに、このようにファンケースへのカバーの取り付けの自由度が大きいので、カバーが取り付けられていない既存の送風機に、カバーを後から組み込むことができる。
【００１３】
請求項２に記載の送風機（８）は、請求項１に記載の発明において、前記カバー（１２）の前記吸込み側折曲部（４１）は、前記ファンケース（１１）の空気吸込み口よりも該ファンケース（１１）の軸線方向外側でかつ該ファンケース（１１）よりも該ファンケース（１１）の半径方向外側に設けられているとともに、空気吸込み側から空気吐出し側に向かうにつれて漸次該ファンケース（１１）の半径方向内側に向かうように形成された傾斜部を備えていることを特徴とする。
【００１４】
請求項２に記載の発明においては、カバーの吸込み側折曲部がカバーの内側に斜めに入り込んでいる傾斜部を備えているので、組み立てあるいは分解時に、作業者はこの吸込み側折曲部を持つと持ち易く、また手を傷めることもないため、作業性が向上する。
また、ファンケースのベルマウス状の空気吸込み部の外側に、カバーの吸込み側折曲部が外側に向かって広がるように張り出しているので、送風ファンにより異物がファンケース内に吸い込まれるのを防止することができる。しかも、異物によって空気流入が阻害されることもない。
【００１５】
請求項３に記載の送風機（８）は、請求項１または請求項２に記載の発明において、前記カバー（１２）は、左右に分割可能な左カバー（３１）と右カバー（３２）とからなり、これらの左カバー（３１）と右カバー（３２）の端面同士が突き合わされて、各端面に形成されたフランジ部（３３、３４）同士が固定具（３５、３６）により固定されることにより、前記左カバー（３１）と右カバー（３２）とが連結されて構成されることを特徴とする。
【００１６】
請求項３に記載の発明においては、左カバーおよび右カバーを連結してカバーを構成するので、左カバー、右カバーの型等の製作が容易になるとともに、左カバー、右カバーが小さくなるので運搬や保管に有利である。
また、左カバーと右カバーの端面同士を突き合わせて、各端面に形成したフランジ部同士を固定具により固定して連結するので、組み立てが容易である。
さらに、カバーは左カバーと右カバーが左右中央部で固定されるとともに、空気吸込み側および空気吐出し側で固定されるので、強固な構造体となり、接触等があっても損傷を受け難い。
【００１７】
請求項４に記載の農業用薬剤散布車は、請求項１乃至請求項３のいずれかに記載の送風機（８）が搭載されていることを特徴とする。
【００１８】
請求項４に記載の発明においては、請求項１乃至請求項３の作用効果を特に有効に発揮することができる。
【００１９】
なお、上記における括弧内の符号は、図面において対応する要素を便宜的に表記したものであり、したがって本発明は図面上の記載に限定されるものではない。これは、「特許請求の範囲」の欄の記載についても同様である。
【００２０】
【発明の実施の形態】
以下、本発明の実施の形態を図面を参照して説明する。
図１乃至図５は、本発明の実施の形態に係るスピードスプレーヤを示す図であって、図１はスピードスプレーヤの側面図であり、図２は送風機部の斜視図であり、図３は図２の中央縦断面図であり、図４はカバーを取り外した状態の送風機部の斜視図であり、図５はカバーの分解斜視図であり、図６は図２のＡ−Ａ線に沿う断面図であり、図７は図２のＢ−Ｂ線に沿う断面図であり、図８はバンパーおよび板カバーを示す平面図であり、図９はバンパーおよび板カバーを示す背面図であり、図１０はバンパーと車体フレームとの取付構造を示す斜視図である。なお、これらの図において、ボルト、ナット等の部品の一部を省略して図示している。例えば、図２乃至図４において、カバーや防護カバーを固定するボルト、ナットの一部の図示を省略している。
【００２１】
図１に示すように、本実施の形態に係るスピードスプレーヤ（農業用薬剤散布車）は、前輪１および後輪２の駆動により走行可能であり、車体フレーム３の上部には、前方から順に、作業者が乗り込んでスピードスプレーヤを運転操作する運転部４、薬液を貯留する薬液タンク５、エンジンやポンプ等を収容するエンジン室部６、薬液タンク５からの薬液を周囲に噴霧する噴頭部７および後方から吸引した空気を噴頭部７に吐出する軸流式の送風機８が配設されている。
薬液タンク５の薬液は、エンジン室部６内のポンプによって噴頭部７に配設された複数個のノズル９に圧送され、これらのノズル９から噴霧され、この噴霧された薬液が送風機８の送風ファンからの風によってさらに細かくされるとともに、噴頭部７の開口部から半径方向外方に向かって幕状に飛ばされる。
【００２２】
図２および図３に示すように、送風機８は、横断面形状が円形の筒状のファンケース１１と、このファンケース１１の外周部を覆う概略アーチ状（断面形状が概略逆Ｕ字状）のカバー１２と、ファンケース１１内に配置された送風ファン（動翼）１３および複数個の整流羽根（静翼）１４と、ファンケース１１の空気吸込み側に設けられた防護カバー１５とを備えている。
【００２３】
図３および図４に示すように、ファンケース１１は、金属からなり、空気吸込み側および空気吐出し側がそれぞれベルマウス状に形成されている。すなわち、ファンケース１１の空気吸込み側および空気吐出し側はそれぞれ、空気吸込み側および空気吐出し側に向かうにつれて漸次ファンケース１１の径が大きくなるように湾曲しながら、ファンケース１１の半径方向外側に向かうように延びている。このファンケース１１は、ファンケース１１の左右下端部にそれぞれ溶接により固着された取付部材２１を用いて、機体フレーム３の後端部に取り付けられている。
【００２４】
図２および図４に示すように、防護カバー１５は、ファンケース１１の空気吸込み側の開口部を塞ぐように設けられている。すなわち、防護カバー１５は、中心部の円板２４と、間隔をおいて同心に配置された複数個の円形棒２５と、半径方向に放射状に配置され、円板２４および円形棒２５が溶接により固定されている複数個（この例では６個）の連結棒２６とを備えており、各連結棒２６の外周側の各端部がそれぞれ、ファンケース１１の空気吸込み側のファンケース１１の半径方向外側に直角に延びている端部に、ボルトとナットにより固定されている。この防護カバー１５により、作業者が送風ファン１３に触れるのを防止しているとともに、木の葉や小枝等の異物がファンケース１１内に吸引されるのを防止している。
【００２５】
また、図３に示すように、各整流羽根１４の外周端はそれぞれ、ファンケース１１の内周面に溶接により固着されている。送風ファン１３は、エンジン室部６のエンジンの駆動軸に装着され、エンジンによって回転駆動される。
【００２６】
図５に示すように、カバー１２は、左カバー３１および右カバー３２により構成され、左右に分割可能である。これらの左カバー３１および右カバー３２は、ＦＲＰ（ガラス繊維入り強化プラスチック）からなり、左右対称に形成されている。図２および図５に示すように、これらの左カバー３１および右カバー３２の端面同士が対向されて密着され、左カバー３１および右カバー３２の各端面に形成された板状のフランジ部３３、３４がボルト（固定具）３５およびナット（固定具）３６により固定されることにより、左カバー３１と右カバー３２とが連結されている。フランジ部３３、３４はそれぞれ、前後方向に間隔をおいて２つ設けられている。
【００２７】
図２、図３および図６に示すように、カバー１２の空気吸込み側には、内側に折り曲げられた吸込み側折曲部４１が形成されている。この吸込み側折曲部４１は、ファンケース１１の空気吸込み口（ファンケース１１の吸込み側端部）よりもファンケース１１の軸線方向外側で、かつファンケース１１よりもファンケース１１の半径方向外側に設けられている。
この吸込み側折曲部４１は、空気吸込み側から空気吐出し側に向かうにつれて漸次ファンケース１１の半径方向内側に向かうように直線状に斜めに形成された傾斜部４１ａを備えている。この傾斜部４１ａは、図２および図３に示すように、最上部では吸込み側折曲部４１の基端部から傾斜している。しかし、吸込み側折曲部４１には、最上部から左右にそれぞれ下降してくると漸次ファンケース１１の半径方向内側に直角に折り曲げられている垂直部４１ｂが形成されてくる。そのため、図２および図６に示すように、最上部以外の部分では、傾斜部４１ａはこの垂直部４１ｂの先端（内側端）から傾斜している。なお、傾斜部４１ａは、直線状に斜めに形成されているだけでなく、湾曲させるようにすることもできる。
【００２８】
そして、図３および図６に示すように、カバー１２の吸込み側折曲部４１の端面とファンケース１１の吸込み側端面とが突き合わされて（近く向かい合わされて）、図４および図６に示すように、段違いに折り曲げられた板材からなるステー（連結部材）４３により、カバー１２の吸込み側折曲部４１の端部とファンケース１１の吸込み側端部とが連結されている。すなわち、ステー４３の裏側には、２つのナット４４が溶接により固定されており、ステー４３の両端部がそれぞれ、ファンケース１１の吸込み側端部およびカバー１２の吸込み側折曲部４１の垂直部４１ｂの裏側に当てられ、ボルト４５がナット４４に螺合されることにより、ステー４３のファンケース１１側の端部が、防護カバー１５の各連結棒２６の外周側端部とともに、ファンケース１１の端部に固定されているとともに、ボルト４７がナット４４に螺合されることにより、ステー４３のカバー１２側の端部が、カバー１２の吸込み側折曲部４１の垂直部４１ｂに固定されている。
ステー４３は、ファンケース１１の吸込み側端部の斜め方向の４箇所に設けられており、したがってファンケース１１の半径方向の６箇所に延びている防護カバー１５の６つの連結棒２６のうち、上下方向に延びている２つの連結棒２６の外周側端部には、ファンケース１１の端部のみが固定されている。
【００２９】
また、図３に示すように、カバー１２の空気吐出し側には、内側に折り曲げられた吐出し側折曲部５１が形成されている。この吐出し側折曲部５１は、ファンケース１１の半径方向内側に直角に折り曲げられている。
そして、図３および図７に示すように、カバー１２の吐出し側折曲部５１の端部とファンケース１１の吐出し側端部とが重ね合わされて、ボルト（固定具）５２およびナット（固定具）５３により固定されている。なお、ナット５３は、カバー１２の吐出し側折曲部５１にかしめ等により固着するようにしてもよい。
【００３０】
カバー１２の吐出し側折曲部５１の端部とファンケース１１の吐出し側端部とは、最上部およぶ左右２箇所の合計５箇所で連結されている。このうち、最上部においては、図３に示すように、ボルト５２は、噴頭部７の噴頭板５５と、この噴頭板５５とファンケース１１との間に介在された筒状のカラー５６内と、ファンケース１１の吐出し側端部と、カバー１２の吐出し側折曲部５１の端部とを貫通されており、これらがボルト５２とナット５３とにより一緒に締め付けられているとともに、噴頭板５５とファンケース１１との間の間隔がカラー５６の長さに設定される。
【００３１】
一方、他の４箇所においては、図７に示すように、ボルト５２は、噴頭部７の噴頭板５５と、制御板５７Ａと、制御板５７Ａと導風板５７との間に介在された筒状のカラー５８と、導風板５７と、制御板５７Ｂと、制御板５７Ｂとファンケース１１との間に介在された筒状のカラー５９と、ファンケース１１の吐出し側端部と、カバー１２の吐出し側折曲部５１の端部とを貫通されており、これらがボルト５２とナット５３とにより一緒に締め付けられているとともに、噴頭板５５と導風板５７との間、および導風板５７とファンケース１１との間の間隔がそれぞれ、制御板５７Ａの板厚およびカラー５８の長さと、制御板５７Ｂの板厚およびカラー５９の長さとに設定される。なお、制御板５７Ａ，５７Ｂは、その角度を変えることにより風向を調整することができる。
【００３２】
なお、カバー１２のうちの一方の左カバー３１の吐出し側折曲部５１の右カバーと対向する端面に突起部を設け、この突起部にナット５３をかしめ等により固着しておき、最上部においては、左カバー３１のみをファンケース１１に固定し、右カバー３２は最上部で固定せずに、他の２箇所でのみ固定するようにしてもよい。このとき、右カバー３２の吐出し側折曲部５１の左カバーと対向する端面に、左カバー３１の前記突起部に嵌合する凹部を設けておき、これらを嵌合差せて、端面を密着させるようにすると、これらの左カバー３１および右カバー３２の上部における位置決めを円滑に行うことができるとともに、これらがずれてしまうのを防止するのにも寄与する。
【００３３】
図２および図５に示すように、カバー１２の外周部には、内側に窪んだ凹溝６１が全周に渡って形成されている。また、カバー１２の吸込み側の左右の下側寄りの部分にはそれぞれ、後部灯火器６２の取付部６３が形成されており、各取付部６３にそれぞれ、後部灯火器６２がビス等により取り付けられている。
【００３４】
また、図２および図４に示すように、防護カバー１５の下側には、円弧状に曲げられた板カバー６５が設けられている。板カバー６５は、ファンケース１１の下端にボルト、ナット等の固定具を用いて固定されている。この板カバー６５により、地上の枯草や落ち葉等が送風機８の下方から吸い込まれるのを防止されている。
【００３５】
板カバー６５には、図８及び図９に示すように、板材が平面視においてコ字状に曲げられて形成されたバンパー７１の後方の後部７２の内側中央部が溶接により固定されている。図１０に示すように、このバンパー７１の前側に延びる両側部７３、７３の前端部はそれぞれ、左右の車体フレーム３の後端部に固定されている。すなわち、バンパー７１の側部７３の前端部の内側に、Ｌ字状のステー７４の一端部がボルト７５により固定されている一方、このステー７４の他端部が角形鋼管からなる車体フレーム３の下面に当接され、車体フレーム３内に配置されたプレート（溶接ナット付きプレート）７６に溶接されたナット７７に、ボルト７８がステー７４、車体フレーム３およびプレート７６を通して螺合されている。
このように設けられたバンパー７１により、送風機３の下方の周囲が包囲されているので、送風機８の下部が樹木等に衝突して損傷するのを防止することができる。ＦＲＰからなるカバー１２の下部が樹木等に衝突して損傷するのを防止するのに、特に有効である。また、送風機８の下方の周囲が包囲しているこのバンパー７１により、地上の枯草や落ち葉等が送風機８の下方から吸い込まれるのをさらに防止することができる。
【００３６】
このようなスピードスプレーヤの送風機８は次のような手順で組み立てられる。
まず、ファンケース１１を、このファンケース１１の左右下端部の取付部材２１を用いて機体フレーム３の後端部に取り付ける。その後、送風ファン１３をエンジン室部６のエンジンの駆動軸に取り付ける。これにより、ファンケース１１内に送風ファン１３が配置される。
【００３７】
次いで、防護カバー１５を、上下方向に延びている２つの連結棒２６の外周側の各端部をそれぞれ、ファンケース１１の空気吸込み側の端部に、ボルトとナットにより固定する。また、ステー４３のファンケース１１側のナット４４にボルト４５を螺合させることにより、ファンケース１１の斜め方向に延びている４つの連結棒２６の外周側の各端部をそれぞれ、ファンケース１１の端部に固定するとともに、ステー４３をファンケース１１の端部に放射状に固定する。
【００３８】
次いで、左カバー３１および右カバー３２をそれぞれ、ファンケース１１の左右の外周部に取り付ける。
すなわち、左カバー３１の吐出し側折曲部５１の端部とファンケース１１の吐出し側端部とを重ね合わせて、上部においては、ボルト５２とナット５３により、噴頭部７の噴頭板５５とカラー５６とファンケース１１の吐出し側端部と左カバー３１の吐出し側折曲部５１の端部とを一緒に締め付けて、左カバー３１の吐出し側折曲部５１の端部とファンケース１１の吐出し側端部とを固定する。また、他の２箇所においては、噴頭板５５と制御板５７Ａとカラー５８と導風板５７と制御板５７Ｂとカラー５９とファンケース１１の吐出し側端部とカバー１２の吐出し側折曲部５１の端部とを一緒に締め付けて、左カバー３１の吐出し側折曲部５１の端部とファンケース１１の吐出し側端部とを固定する。その後、左カバー３１の吸込み側折曲部４１の端面とファンケース１１の吸込み側端面とを突き合わせて（近く向かい合わせて）、左側の２つの各ステー４３の左カバー３１の各ナット４４にそれぞれボルト４７を螺合させることにより、左カバー３１の吸込み側折曲部４１の垂直部４１ｂを各ステー４３に固定する。右カバー３２も同様にしてファンケース１１に取り付ける。このとき、右カバー３２の吐出し側折曲部５１の端部とファンケース１１の吐出し側端部とは、上部においては、左カバー３１の吐出し側折曲部５１の端部とファンケース１１の吐出し側端部とを固定した上記ボルト５２とナット５３により共締めされる。
【００３９】
次いで、左カバー３１および右カバー３２の端面同士を対向させて密着させ、左カバー３１および右カバー３２の各フランジ部３３、３４同士をボルト３５とナット３６により締め付けることにより、左カバー３１と右カバー３２とを結合して一体化し、概略アーチ状のカバー１２に組み立てる。
【００４０】
このように構成されたスピードスプレーヤの送風機８にあっては、カバー１２の吸込み側折曲部４１の端面とファンケース１１の吸込み側端面とが突き合わされて、ステー４３により連結され、他方カバー１２の吐出し側折曲部５１の端部とファンケース１１の吐出し側端部とが重ね合わされて、ボルト５２とナット５３により連結されているので、カバー１２とファンケース１１とを組み立てる際に、まずカバー１２の吐出し側折曲部５１の端部とファンケース１１の吐出し側端部とをボルト５２とナット５３により固定し、その後カバー１２の吸込み側折曲部４１の端面とファンケース１１の吸込み側端面とを突き合わせて、ステー４３を用いて連結することにより、これらのカバー１２の吸込み側折曲部４１の端面とファンケース１１の吸込み側端面との間に逃げを確保することができ、カバー１２またはファンケース１１の製作寸法の出来具合が変化しても対応することができる。したがって、カバー１２またはファンケース１１に無理な力がかからないので、これらが損傷したりあるいは変形したりすることがない。
【００４１】
また、カバー１２およびファンケース１１の製作寸法の出来具合に左右されずに、これらを組み立てることができるので、カバー１２およびファンケース１１の寸法管理を緩和することができるため、カバー１２およびファンケース１１の製作コストを低減することができるとともに、組み立て作業を神経を使うことなく行うことができる。
【００４２】
さらに、このようにファンケース１１へのカバー１２の取り付けの自由度が大きいので、カバー１２が取り付けられていない既存の送風機に、カバー１２を後から組み込むことができる。
【００４３】
また、カバー１２の吸込み側折曲部４１がカバー１２の内側に斜めに入り込んでいるので、組み立てあるいは分解時に、作業者はこの吸込み側折曲部４１を持つと持ち易いとともに、手を傷めることもないため、作業性が向上する。
【００４４】
また、ファンケース１１のベルマウス状の空気吸込み部の外側に、カバー１２の吸込み側折曲部４１が外側に向かって広がるように張り出しているので、送風ファン１３により果樹等の樹木の枝などの異物がファンケース１１内に吸い込まれるのを防止することができ、しかもこれらの異物によって空気流入が阻害されることもない。したがって、果樹等を損傷するのを防止することができるとともに、送風機の異物吸い込みによる損傷を防止することができ、かつ送風性能の低下を防止することもできる。
【００４５】
さらに、左カバー３１および右カバー３２を連結してカバー１２を構成するので、左カバー３１、右カバー３２の型等の製作が容易になるとともに、左カバー３１、右カバー３２が小さくなり運搬や保管に便利である。
また、左カバー３１と右カバー３２の端面同士が突き合わせて、各端面に形成したフランジ部３３、３４同士をボルト３５およびナット３６により固定して連結するので、組み立てが容易である。
また、カバー１２は左カバー３１と右カバー３２が左右中央部で固定されるとともに、空気吸込み側および空気吐出し側で固定されるので、強固な構造体となり、接触等があっても損傷を受け難い。
【００４６】
また、通常、後部灯火器６２はカバー１２の取付部６３に予め取り付けておくが、この後部灯火器６２をカバー１２に取り付けないでおいて、カバー１２にこの後部灯火器６２設置用の穴を露出させておくと、送風機８の組み立て時に、この穴から手を入れて、ステー４３の位置調整をすることができる。
【００４７】
【発明の効果】
以上説明したように、請求項１に記載の送風機によれば、カバーやファンケースの製作寸法の出来具合が異なっても対応することができるので、カバーやファンケースに無理な力をかけないようにすることができ、これらを損傷させたりあるいは変形させたりするのを防止することができる。
また、カバーおよびファンケースの寸法管理を緩和することができるため、カバーおよびファンケースの製作コストを低減することができるとともに、組み立て作業を神経を使うことなく行うことができる。
さらに、ファンケースへのカバーの取り付けの自由度が大きいので、カバーが取り付けられていない既存の送風機に、カバーを後から組み込むことができる。
【００４８】
請求項２に記載の送風機によれば、請求項１に記載の発明と同様の作用効果を奏することができるとともに、組み立てあるいは分解時に、作業者が吸込み側折曲部を持つと持ち易いとともに、手を傷めることもないため、作業性を向上させることができる。
また、カバーの吸込み側折曲部により、異物がファンケース内に吸い込まれるのを防止することができるとともに、異物によって空気流入が阻害されるのを防止することができる。
【００４９】
請求項３に記載の送風機によれば、請求項１または請求項２に記載の発明と同様の作用効果を奏することができるとともに、左カバーおよび右カバーの型等の製作を容易にすることができ、また左カバーおよび右カバーが小さくなるので運搬や保管に有利である。
さらに、カバーの組み立てが容易であるとともに、強固な構造体とすることができ、接触等があっても損傷を受け難い。
【００５０】
請求項４に記載の発明によれば、請求項１乃至請求項３のいずれかの作用効果を奏する農業用薬剤散布車を得ることができる。
【図面の簡単な説明】
【図１】本発明の実施の形態に係るスピードスプレーヤを示す図であって、側面図である。
【図２】同、送風機部の斜視図である。
【図３】同、図２の中央縦断面図である。
【図４】同、カバーを取り外した状態の送風機部の斜視図である。
【図５】同、カバーの分解斜視図である。
【図６】同、図２のＡ−Ａ線に沿う断面図である。
【図７】同、図２のＢ−Ｂ線に沿う断面図である。
【図８】同、バンパーおよび板カバーを示す平面図である。
【図９】同、バンパーおよび板カバーを示す背面図である。
【図１０】同、バンパーと車体フレームとの取付構造を示す斜視図である。
【符号の説明】
８    送風機
１１    ファンケース
１２    カバー
１３    送風ファン
３１    左カバー
３２    右カバー
３３、３４    フランジ部
３５    ボルト（固定具）
３６    ナット（固定具）
４１    吸込み側折曲部
４３    ステー（連結部材）
５１    吐出し側折曲部
５２    ボルト（固定具）
５３    ナット（固定具）
【図１】
2004278408.tif 000003
【図２】
2004278408.tif 000004
【図３】
2004278408.tif 000005
【図４】
2004278408.tif 000006
【図５】
2004278408.tif 000007
【図６】
2004278408.tif 000008
【図７】
2004278408.tif 000009
【図８】
2004278408.tif 000010
【図９】
2004278408.tif 000011
【図１０】
2004278408.tif 000012